(57)【特許請求の範囲】
【請求項１】
パネル工法で構築される建物であって、
躯体を構成する耐力壁と所定間隔離間し、該耐力壁の上端と同じ高さかつ前記耐力壁と平行に水平方向に延在する梁材が設けられ、この梁材と前記耐力壁とを連結する２つの構造材が上下に離間して水平方向に延在して設けられ、
前記上側の構造材が前記耐力壁及び前記梁材に支持され、
前記下側の構造材が前記耐力壁と前記梁材の下端との間に取り付けられていることを特徴とする建物。
【請求項２】
前記２つの構造材の間には、配線及び／または配管が設けられていることを特徴とする請求項１に記載の建物。
【請求項３】
前記上側の構造材は前記耐力壁及び前記梁材の対向する面にそれぞれ設けられた床受け材により支持されていることを特徴とする請求項２に記載の建物。
【請求項４】
前記上側の構造材には点検口が設けられていることを特徴とする請求項２または３に記載の建物。
【請求項５】
前記下側の構造材の下部には収納スペースが設けられることを特徴とする請求項１〜４のいずれか一項に記載の建物。
【発明の詳細な説明】
【技術分野】
【０００１】
本発明は、建物に関する。
【背景技術】
【０００２】
近年、住宅の構築については、その工業化が進み、例えば、プレハブ住宅等においては、柱、梁等をあまり使用せずに、予め工場で製造された床パネル、壁パネル、屋根パネル等の矩形板状のパネルを配列していくことにより、床、壁、天井等を形成していく施工方法（以下、パネル工法）が知られている。
【０００３】
工場で組み立てられた床用・壁用・屋根用等のパネルは、トラック等で施工現場に運び込まれる。建築現場では、パネルの配設とパネル間の接合作業を行うだけで、短期間で床、壁、屋根等の住宅の基本構造を構築することができる。
【０００４】
パネル工法で構築される住宅において、例えば家屋下のガレージ等、幅広の開口が要求される場合には、水平方向に伸びる梁部と、梁部の両端から鉛直下方に伸びる柱部とからなる門型パネルが適用される。また、所定間隔をおいて１対の門型パネルを対向させ、両者の柱部を壁パネルで結合するとともに、梁部を床パネルで結合した門型パネルユニットを用いるものもある（例えば、特許文献１参照）。
【特許文献１】特許第２５６５６２６号明細書
【発明の開示】
【発明が解決しようとする課題】
【０００５】
ところで、完成した住宅に長期間居住する場合には、家族の成長や独立のために、間取りや仕様の変更を行う必要が生じる。このため、大空間の居室をあらかじめ設け、そこに非耐力壁の間仕切を設けることで、完成後においても容易に間取り変更を行うことができるようにした住宅が設計されている。
【０００６】
しかし、外周壁等の耐力壁に即して大空間の居室を設けると、壁量が減少するため、建物の構造強度が低下する恐れがある。
【０００７】
本発明の課題は、構造強度を向上させ、耐力壁に即して大空間の居室を設けることができる建物を提供することである。
【課題を解決するための手段】
【０００８】
以上の課題を解決するため、請求項１に記載の発明は、パネル工法で構築される建物であって、図１〜４に示すように、躯体を構成する耐力壁（壁パネル１２、２２）と所定間隔離間し、該耐力壁（壁パネル１２、２２）の上端と同じ高さかつ前記耐力壁（壁パネル１２、２２）と平行に水平方向に延在する梁材１３、２３が設けられ、この梁材１３、２３と前記耐力壁（壁パネル１２、２２）とを連結する２つの構造材（床パネル２１、３１及び天井材１４、２４）が上下に離間して水平方向に延在して設けられ、前記上側の構造材が前記耐力壁及び前記梁材に支持され、前記下側の構造材が前記耐力壁と前記梁材の下端との間に取り付けられていることを特徴とする。
【０００９】
請求項１に記載の発明によれば、躯体を構成する耐力壁（壁パネル１２、２２）と所定間隔離間させて、かつ該耐力壁（壁パネル１２、２２）と平行に梁材２３を設け、この梁材２３と前記耐力壁（壁パネル１２、２２）とを連結する２つの構造材（床パネル２１、３１及び天井材１４、２４）を上下に離間させて設けることで、筒状の構造を形成し、この筒状の構造に水平力を負担させることができるので、建物の構造強度を向上させることができ、大空間の居室２７を設けることができる。
【００１０】
請求項２に記載の発明は、請求項１に記載の建物であって、前記２つの構造材（床パネル２１、３１及び天井材１４、２４）の間には、配線及び／または配管が設けられていることを特徴とする。
【００１１】
ここで、配線としては、電気配線や情報配線等が挙げられる。また、配管としては、ガスや水道の配管や換気用の配管、汚水や雑排水の配管、雨水排水用の配管等が挙げられる。
【００１２】
請求項２に記載の発明によれば、前記２つの構造材（床パネル２１、３１及び天井材１４、２４）の間には、配線及び／または配管が設けられているので、筒状の構造の内部を配線及び／または配管スペースとしても利用することができる。
【００１３】
請求項３に記載の発明は、請求項２に記載の建物であって、前記上側の構造材（床パネル２１、３１）は前記耐力壁（壁パネル１２、２２）及び前記梁材２３の対向する面にそれぞれ設けられた床受け材３４、３４により支持されていることを特徴とする。
【００１４】
請求項３に記載の発明によれば、前記上側の構造材（床パネル２１、３１）は前記耐力壁（壁パネル１２、２２）及び前記梁材２３の対向する面にそれぞれ設けられた床受け材３４、３４により支持されているので、上側の構造材（床パネル２１、３１）を持ち上げて容易に着脱することができ、筒状の構造の内部に設けられた配線及び／または配管をメンテナンスしたり、後施工したりすることができる。
【００１５】
請求項４に記載の発明は、請求項２または３に記載の建物であって、前記上側の構造材（床パネル２１、３１）には点検口が設けられていることを特徴とする。
【００１６】
請求項４に記載の発明によれば、上側の構造材（床パネル２１、３１）に設けられた点検口を開けて筒状の構造の内部に設けられた配線及び／または配管をメンテナンスしたり、後施工したりすることができる。
【００１７】
請求項５に記載の発明は、請求項１〜４のいずれか一項に記載の建物であって、前記下側の構造材（天井材１４、２４）の下部には収納スペース（空間１５、２５）が設けられることを特徴とする。
【００１８】
請求項５に記載の発明によれば、下側の構造材（天井材１４、２４）の下部に収納スペース（空間１５、２５）を設けることで、空間を有効に利用するとともに、凹凸の少ない部屋を形成することができる。
【発明の効果】
【００１９】
本発明によれば、躯体を構成する耐力壁と所定間隔離間させて、かつ該耐力壁と平行に梁材を設け、この梁材と前記耐力壁とを連結する２つの構造材を上下に離間させて設けることで、筒状の構造を形成し、この筒状の構造に水平力を負担させることができるので、建物の構造強度を向上させることができ、大空間の居室を設けることができる。また、筒状の構造の内部を配線及び／または配管スペースとしても利用することができる。
【００２０】
さらに、上側の構造材を耐力壁及び梁材の対向する面にそれぞれ設けた床受け材により支持させることで、上側の構造材を持ち上げて容易に着脱することができ、筒状の構造の内部に設けられた配線及び／または配管をメンテナンスしたり、後施工したりすることができる。同様に、上側の構造材に設けられた点検口を開けて筒状の構造の内部に設けられた配線及び／または配管をメンテナンスしたり、後施工したりすることができる。
【００２１】
また、下側の構造材の下部に収納スペースを設けることで、空間を有効に利用するとともに、凹凸の少ない部屋を形成することができる。
【発明を実施するための最良の形態】
【００２２】
以下、本発明の実施の形態について詳細に説明する。本発明の建物は、予め工場で形成された床パネル、壁パネル、屋根パネル等の矩形板状のパネルを配列していくことにより、床、壁、天井等を形成していくパネル工法により建設される。各パネルは、矩形枠状の框材に必要に応じて補強桟材が設けられ、片面あるいは両面に合板が貼られて形成されている。
【００２３】
図１は本発明の建物の要部を示す斜視図であり、図２は図１の建物の平面図である。また、図３は図２のＡ−Ａ部分を示す鉛直断面図であり、図４は図２のＢ−Ｂ部分を示す鉛直断面図である。
【００２４】
建物の基礎６の上部には、台輪７を介して１階の床１０を構成する床パネル１１及び半土台８が配置されている。その上部には、１階の外周壁１を構成する壁パネル１２が配置されている。
【００２５】
また、建物の外周部分には、外周壁１と垂直に１対の控え壁２が設けられて凹部３が形成されている。凹部３には、図３に示すように、玄関や窓等の開口部４が設けられている。これらの開口部４は、建物の正面外観を構成するとともに、換気や採光の役割を果たす。また、開口部４から外の景色を眺望することができる。
開口部４の上部には、開口部４に入射する光を調光・遮光する庇５が設けられている。
【００２６】
１階の外周壁１を構成する壁パネル１２の上部には、図４に示すように、２階の床２０を構成する床パネル２１が支持されている。また、壁パネル１２と離間して、壁パネル１２の上端と同じ高さかつ壁パネル１２と平行に、壁パネル１２とともに床パネル２１を支持する梁材１３が設けられている。梁材１３は壁パネル１２と垂直な耐力壁（図示せず）により両端部を支持されている。
【００２７】
また、梁材１３の下端と壁パネル１２との間には、天井材１４が設けられている。ここで天井材１４は、枠状の野縁１４ａに、必要に応じて補強桟材が設けられ、下面に面材１４ｂが貼り付けられたものである。天井材１４は、接着剤やスクリューボルト等を用いて梁材１３の下端と壁パネル１２との間に取り付けられる。
【００２８】
壁パネル１２、梁材１３、床パネル２１、及び天井材１４により、筒状の構造が形成されている。
１階の床１０と天井材１４との間の空間１５には、収納スペースとして、あるいは展示スペースとして利用することができる図示しない収納ユニット等が設けられる。
【００２９】
床パネル２１の、１階の壁パネル１２に支持される端部には、必要に応じて調整材９が配置されている。床パネル２１及び調整材９の上部には、２階の外周壁１を構成する壁パネル２２が配置されている。
外周壁１には、図１に示すように、１階と同様に凹部３が形成されており、窓やベランダ等の開口部４が設けられている。また、開口部４の上部には、１階と同様に庇５が設けられている。
【００３０】
２階の壁パネル２２の上部には、図４に示すように、胴差２６を介してパラペット壁３２を構成する壁パネル３３が設けられている。また、壁パネル２２と離間して、壁パネル２２の上端と同じ高さかつ壁パネル２２と平行に、梁材２３が設けられている。梁材２３は壁パネル２２と垂直な耐力壁（図示せず）により両端部を支持されている。梁材２３は胴差２６を介して妻壁３５を支持している。
【００３１】
妻壁３５は、図２に示すように、外周壁１の直上のパラペット壁３２と平行かつ所定間隔離間して配置されている。妻壁３５とパラペット壁３２の間には陸屋根３０が形成されている。妻壁３５は２つあり、建物の両端部に平行に設けられている。２つの妻壁３５の間には、大空間の居室２７が形成されている。また、２つの妻壁３５は上端で、図示しない屋根梁の両端部を支持している。
【００３２】
また、妻壁３５と垂直な外周壁１を構成する２階の壁パネル２２と胴差２６との境界部分の内周面には、図示しない屋根受け材が設けられている。屋根梁及び屋根受け材は、勾配屋根（切妻屋根４０）を構成する屋根パネル４１を支持している。
【００３３】
壁パネル２２と胴差２６との境界部分の内周面、及び、梁材２３の上端と胴差２６との境界部分の外周壁１側の面には、陸屋根３０を構成する床パネル３１を支持する床受け材３４がそれぞれ設けられている。また、梁材２３の下端と壁パネル２２との間には、天井材２４が設けられている。天井材２４は、天井材１４と同様に、枠状の野縁２４ａに、必要に応じて補強桟材が設けられ、下面に面材２４ｂが貼り付けられたものである。天井材２４は、天井材１４と同様に、接着剤やスクリューボルト等を用いて梁材２３の下端と壁パネル２２との間に取り付けられる。
【００３４】
２階の床２０と天井材２４との間の空間２６には、収納スペースとして、あるいは展示スペースとして利用することができる図示しない収納ユニット等が設けられる。
壁パネル２２、梁材２３、床パネル３１、及び天井材２４により、１階と同様に筒状の構造が形成されている。
【００３５】
これらの筒状の構造では、床パネル２１、３１及び天井材１４、２４が、壁パネル１２、２２と梁材１３、２３との間で水平力を伝達するため、より大きな水平力に抗することができる。したがって、建物のせん断耐力を高め、構造強度を向上させることができる。このため、筒状の構造の外周壁１と反対側の壁や床を省略することができ、吹き抜け等の大空間の広間を形成することができる。
【００３６】
また、これらの筒状の構造の内部に、電気配線や情報配線等の配線や、ガスや水道の配管や換気用の配管、汚水や雑排水の配管、雨水排水用の配管等の配管を設けてもよい。さらに、筒状の構造の内部に断熱材を設けてもよいし、筒状の構造の内部を小屋裏換気に用いてもよい。
【００３７】
床パネル３１には、図２に示すように、雨水を排水するドレーン管３６が埋設されている。床パネル３１の上面の高さは、勾配屋根の軒側端部よりも低い。このため、勾配屋根に降った雨は、パラペット壁３２に沿って流れ、床パネル３１上に流入し、ドレーン管３６によって排水される。
【００３８】
なお、筒状の構造の上側の床パネル２１、３１は、例えば床受け材３４により着脱自在に支持させてもよい。床パネル２１、３１を着脱自在とすることで、筒状の構造の内部に設けられた配線や配管等のメンテナンスを行うことができる。また、筒状の構造の内部に配線や配管等を後施工することができる。
【００３９】
あるいは、床パネル２１、３１に図示しない点検口を設けてもよい。床パネル２１、３１に点検口を設けた場合にも、筒状の構造の内部に設けられた配線や配管等のメンテナンスを行ったり、筒状の構造の内部に配線や配管等を後施工したりすることができる。
【００４０】
床パネル２１を着脱自在とした場合、あるいは床パネル２１に点検口を設けた場合には、２階から筒状の構造の内部をメンテナンスすることができる。また、陸屋根３０を構成する床パネル３１を着脱自在とした場合、あるいは床パネル３１に点検口を設けた場合には、陸屋根３０の上から筒状の構造の内部をメンテナンスすることができる。
【００４１】
なお、以上の実施の形態においては、壁パネル２２と離間して、壁パネル２２の上端と同じ高さかつ壁パネル２２と平行に梁部材を設け、壁パネル２２と梁部材により支持される床パネル１１を設けるとともに、梁部材の下端と壁パネル２２との間に天井材２４を設けて筒状の構造を形成したが、本発明はこれに限らず、例えば床パネル２１の上部に梁部材を設け、梁部材の上端と壁パネル２２との間に床パネル１１を設けて筒状の構造を形成してもよい。
【００４２】
また、外周壁１の開口部４が設けられる位置に凹部３を設けず、連続した筒状の構造を形成してもよい。その他具体的な細部構造についても適宜変更可能であることはもちろんである。
【図面の簡単な説明】
【００４３】
【図１】本発明の建物の要部を示す斜視図である。
【図２】図１の建物を示す平面図である。
【図３】図２のＡ−Ａ部分を示す鉛直断面図である。
【図４】図２のＢ−Ｂ部分を示す鉛直断面図である。
【符号の説明】
【００４４】
１１、２１、３１     床パネル
１２、２２、３３     壁パネル
１３、２３    梁材
１４、２４    天井材
１５、２５    空間
３４   床受け材
【図１】
0004642378.tif 000002
【図２】
0004642378.tif 000003
【図３】
0004642378.tif 000004
【図４】
0004642378.tif 000005